(57)【要約】【課題】表示画面を簡素化する。【解決手段】駅構内で鉄道車両が走行可能な配線略図及び鉄道車両の進路設定を行う発点１１〜１６及び着点１７〜２２が表示手段の表示画面に表示され、表示画面に表示された発点及び着点から取扱者が選択して入力手段により入力する鉄道車両の進路設定時における画面表示方法において、取扱者が進路設定モードを選択することにより進路設定可能な進路の発点が配線略図上に表示され、取扱者が選択した発点を入力手段から入力することにより選択された発点に対して選択可能な着点のみが配線略図上に表示されるようにしたものである。【選択図】        図２
2004161071.tif 000002
【特許請求の範囲】
【請求項１】
鉄道車両が走行可能な配線略図及び上記鉄道車両の進路設定を行う発点及び着点が表示手段の表示画面に表示され、上記表示画面に表示された発点及び着点から取扱者が入力手段により選択する鉄道車両の進路設定時における画面表示方法において、上記取扱者が上記入力手段によって選択した進路設定モードに対して進路設定可能な進路の発点が上記配線略図上に表示され、上記取扱者が上記入力手段によって選択した発点に対して選択可能な着点のみが上記配線略図上に表示されるようにしたことを特徴とする鉄道車両の進路設定時における画面表示方法。
【請求項２】
請求項１において、選択可能な着点から上記取扱者が入力手段によって選択した着点により進路設定がされた後、上記取扱者が上記入力手段によって選択した進路設定復位モードに対して、選択可能な発点のみが表示手段に表示されるようにしたことを特徴とする鉄道車両の進路設定時における画面表示方法。
【発明の詳細な説明】
【０００１】
【発明の属する技術分野】
この発明は、駅構内・操車場等で鉄道車両の進路設定を行うときに発点及び着点を表示画面に表示させるようにした鉄道車両の進路設定時における画面表示方法に関するものである。
【０００２】
【従来の技術】
従来の鉄道車両の進路設定における画面表示方法は、駅構内・操車場等で鉄道車両が走行可能な配線略図上に、全ての発点及び着点が表示画面に表示される。そして、取扱者が発点を設定することにより、発点に対して選択可能な全ての着点が抽出され、抽出された着点が黄色で表示画面に表示され、選択不可能な着点は初期画面のままで色表示を変化させない（例えば、特許文献１参照）。
【０００３】
【特許文献１】
特開平９−１０９８８９号公報（第３頁、第２図、第３図）
【０００４】
【発明が解決しようとする課題】
従来の鉄道車両の進路設定時における画面表示方法は、発点を指定したときに選択可能な着点及び選択不可能な着点の全てが表示されるので、進路設定の操作を行う取扱者が選択可能な着点を認識する際に煩雑となり、作業性を低下させるおそれがあるという問題点があった。
【０００５】
この発明は、以上のような課題を解消するためになされたもので、表示画面を簡素化した鉄道車両の進路設定時における画面表示方法を提供することを目的としたものである。
【０００６】
【課題を解決するための手段】
この発明に係わる鉄道車両の進路設定時における画面表示方法は、駅構内で鉄道車両が走行可能な配線略図及び上記鉄道車両の進路設定を行う発点及び着点が表示手段の表示画面に表示され、上記表示画面に表示された発点及び着点から取扱者が入力手段により選択する鉄道車両の進路設定時における画面表示方法において、上記取扱者が上記入力手段によって選択した進路設定モードに対して進路設定可能な進路の発点が上記配線略図上に表示され、上記取扱者が上記入力手段によって選択した発点に対して選択可能な着点のみが上記配線略図上に表示されるようにしたものである。
【０００７】
【発明の実施の形態】
実施の形態１．
図１は、この発明の実施の形態１における構成を示すブロック図である。図１において、起動されると表示手段１に軌道回路（レール）、転てつ機、信号機等を示した駅構内・操車場等の配線略図が表示される。特定の制御所に設置されたＣＴＣ（中央列車制御）装置（図示せず）、又は駅に設置された連動装置（図示せず）に設けられたキーボード、マウス等の入力手段２から取扱者が進路設定モードを選択すると、進路演算手段３は選択可能な発点を検索して表示手段１に選択可能な発点のみを表示する。取扱者が入力手段２により選択可能な発点から１つを選択したとき、連動処理手段４に蓄積された連動データに基づいて進路設定手段３は、選択された発点に対して選択可能な着点のみを検索して、表示手段１に選択された発点と選択可能な着点とを対で表示させる。連動処理手段４は先行列車の位置等の連動データに基づいて、信号機の表示、転轍機の方向等決定して、制御手段５に信号機の表示、転てつ機等の現場機器６を制御させる。
【０００８】
このように構成された鉄道車両の進路設定時における画面表示方法の動作について説明する。図２は進路設定を行う駅構内の配線略図上に選択可能な発点が表示された状態を示す説明図、図３は選択された発点に対して選択可能な着点が表示された状態を示す説明図、及び図４は図１の動作を説明するフローチャートである。
図１から図４において、図１に示すブロック図が起動されると表示手段１に軌道回路（レール）７、転てつ機（図示せず）及び信号機８を示した駅構内の上り線及び下り線の配線略図９，１０が表示され、進路設定処理が開始される（図４、ステップＳ１）。ここで、取扱者（操作者）が進路設定モードを選択して入力手段２により入力する（図４，ステップＳ２）。図２におけるルートは、発点１１−着点１７、発点１１−着点１８、発点１２−着点１９、発点１３−着点１９、発点１４−着点２０、発点１４−着点２１、発点１５−着点２２、発点１６−着点２２の８ルートがある。進路設定手段３では連動処理手段４からの連動データに基づいて、選択可能な発点１１〜１３，１４〜１６を検索する（図４、ステップＳ３）。
【０００９】
発点１４−着点２０―発点１５−着点２２の進路がすでに構成されている場合、発点１４〜１６は選択不可能として表示されない。そして、図２に示すように表示手段１に選択可能な発点１１〜１３，１４〜１６を表示させる（図４、ステップＳ４）。ただし、この時点では選択可能な発点１１〜１３，１４〜１６のみが表示手段１に表示され、着点１７〜１９，２０〜２２はいずれも表示されていない。
【００１０】
次に、取扱者が例えば発点１１を選択すると（図４、ステップＳ５）、進路設定手段３では連動処理手段４からの連動データに基づいて選択可能な着点を検索する（図４、ステップＳ６）。そして、取扱者が選択した発点１１と、発点１１に対して選択可能な着点１７，１８を表示させる（図４、ステップＳ７）。続いて、取扱者が例えば着点１７を選択して（図４、ステップＳ８）進路設定を行うと（図４、ステップＳ９）、連動処理手段４が進路構成命令を出す（図４，ステップＳ１０）これにより、制御手段５を介して各現場機器（信号機等）が作動される。
以上のように、配線略図上に表示された選択可能な発点から取扱者が選択した発点を入力することにより、選択された発点に対して選択可能な着点のみが配線略図上に表示されるように簡素化したので、取扱者が進路設定を行う際に選択可能な着点を認識するのが容易になり、作業性の向上を図ることができる。
【００１１】
実施の形態２．
図５は、この発明の実施の形態２における動作を示すフローチャート、及び図６は進路設定復位モードにおいて選択可能な発点が表示された状態を示す説明図である。なお、実施の形態２における構成を示すブロック図は実施の形態１の図１と同様である。
図１，図５及び図６において、発点１４−（着点２０）−発点１５−（着点２２）の進路が構成されている場合に進路設定復位処理を開始する（図５、ステップＳ１）。続いて、取扱者が入力手段２により進路設定復位モードを選択する（図５、ステップＳ２）と、選択可能な発点を検索する（図５、ステップＳ３）。
【００１２】
そして、選択可能な発点１４，１５が表示手段１の配線略図上に表示される（図５、ステップＳ４）。この場合、図６に示す着点２０，２２は表示手段１には表示されない。
続いて、取扱者が例えば発点１４を選択して入力手段２により入力し、復位設定を行うことにより進路設定が解除される。そして、進路設定復位命令が連動処理手段４から出力される。
以上のように、進路設定復位モードを選択したとき選択可能な発点のみが配線略図上に表示されるようにしたので、取扱者が進路設定復位を行う際に選択可能な発点を認識するのが容易になり、作業性の向上を図ることができる。
【００１３】
【発明の効果】
この発明によれば、配線略図上に表示された選択可能な発点から取扱者が選択した発点を入力することにより、選択された発点に対して選択可能な着点のみが配線略図上に表示されるように簡素化したので、取扱者が進路設定を行う際に選択可能な着点を認識するのが容易になり、作業性の向上を図ることができる。
【図面の簡単な説明】
【図１】この発明の実施の形態１における構成を示すブロック図である。
【図２】進路設定を行う駅構内の配線略図上に選択可能な発点が表示された状態を示す説明図である。
【図３】選択された発点に対して選択可能な着点が表示された状態を示す説明図である。
【図４】図１の動作を説明するフローチャートである。
【図５】この発明の実施の形態２における動作を示すフローチャートである。
【図６】進路設定復位モードにおいて選択可能な発点が表示された状態を示す説明図である。
【符号の説明】
１  表示手段、２  入力手段、３  進路演算手段、４  連動処理手段、１１〜１６  発点、１７〜２２  着点。
【図１】
2004161071.tif 000003
【図２】
2004161071.tif 000004
【図３】
2004161071.tif 000005
【図４】
2004161071.tif 000006
【図５】
2004161071.tif 000007
【図６】
2004161071.tif 000008